(57)【特許請求の範囲】
【請求項１】
自己が収容している第１の通信装置と、リング状伝送路を終端しているルート制御装置に収容されている所定の第２の通信装置との光通信に介在する、上記リング状伝送路に複数配設された中の一つのアドドロップマルチプレクサにおいて、
いずれかの第２の通信装置が送信元の上記リング状伝送路を左回り方向に伝搬する第１の波長帯に属する波長を有する符号化されている下り信号、若しくは、自己が収容している第１の通信装置以外の第１の通信装置が送信元の上記リング状伝送路を左回り方向に伝搬する上記第１の波長帯に属する波長を有する符号化されている上り信号が入力される第１の入出力ポートと、
いずれかの第２の通信装置が送信元の上記リング状伝送路を右回り方向に伝搬する第２の波長帯に属する波長を有する符号化されている下り信号、若しくは、自己が収容している第１の通信装置以外の第１の通信装置が送信元の上記リング状伝送路を右回り方向に伝搬する上記第２の波長帯に属する波長を有する符号化されている上り信号が入力される第２の入出力ポートと、
自己が収容している第１の通信装置との間で符号化されていない下り信号及び上り信号を授受する第３の入出力ポートと、
上記第１の入出力ポートに入力された信号が、自己が収容している第１の通信装置への符号化されている下り信号か否かを、自己に固有な第１の復号パターンが割り当てられている左回り用ファイバブラッグ回折格子型光復号器を利用して判別し、自己が収容している第１の通信装置への符号化されている下り信号の場合には、その下り信号を上記左回り用ファイバブラッグ回折格子型光復号器が復号して得た下り信号を上記第３の入出力ポートへ出力すると共に、自己が収容している第１の通信装置への符号化されている下り信号でない場合に上記第２の入出力ポートへ出力する左回り信号処理部と、
上記第２の入出力ポートに入力された信号が、自己が収容している第１の通信装置への符号化されている下り信号か否かを、自己に固有な第２の復号パターンが割り当てられている右回り用ファイバブラッグ回折格子型光復号器を利用して判別し、自己が収容している第１の通信装置への符号化されている下り信号の場合に、その下り信号を上記右回り用ファイバブラッグ回折格子型光復号器が復号して得た下り信号を上記第３の入出力ポートへ出力すると共に、自己が収容している第１の通信装置への符号化されている下り信号でない場合に上記第１の入出力ポートへ出力する右回り信号処理部と、
自己が収容している第１の通信装置から上記第３の入出力ポートに入力された符号化されていない上り信号が、上記第１の波長帯に属する波長を有するときに、自己に固有な第１の符号パターンが割り当てられている第１のファイバブラッグ回折格子型光符号器を利用して符号化して上記第２の入出力ポートへ出力し、上記第２の波長帯に属する波長を有するときに、自己に固有な第２の符号パターンが割り当てられている第２のファイバブラッグ回折格子型光符号器を利用して符号化して上記第１の入出力ポートへ出力する方向制御アド部と
を有することを特徴とするアドドロップマルチプレクサ。
【請求項２】
請求項１に記載の複数のアドドロップマルチプレクサが配設されているリング状伝送路を終端していると共に、１又は複数の第２の通信装置を収容しているルート制御装置において、
いずれかのアドドロップマルチプレクサに収容されている第１の通信装置が送信元の上記リング状伝送路を右回り方向に伝搬してきた第２の波長帯に属する波長を有する符号化されている上り信号が入力されると共に、いずれかのアドドロップマルチプレクサに収容されている第１の通信装置への上記リング状伝送路を左回り方向に伝搬させようとする第１の波長帯に属する波長を有する符号化されている下り信号を出力させる第４の入出力ポートと、
いずれかのアドドロップマルチプレクサに収容されている第１の通信装置が送信元の上記リング状伝送路を左回り方向に伝搬してきた第１の波長帯に属する波長を有する符号化されている上り信号が入力されると共に、いずれかのアドドロップマルチプレクサに収容されている第１の通信装置への上記リング状伝送路を右回り方向に伝搬させようとする第２の波長帯に属する波長を有する符号化されている下り信号を出力させる第５の入出力ポートと、
通信に供しようとする第１の通信装置及び第２の通信装置間の下り信号及び上り信号の波長を決定し、その波長を有するように制御するルート制御部本体と、
いずれかの第２の通信装置からの符号化されていない下り信号が、第１の波長帯に属する波長を有するときに、その下り信号の宛先の第１の通信装置を収容したアドドロップマルチプレクサに固有な左回り用かつ下り用の符号パターンで符号化して上記第４の入出力ポートに出力させ、第２の波長帯に属する波長を有するときに、その下り信号の宛先の第１の通信装置を収容したアドドロップマルチプレクサに固有な右回り用かつ下り用の符号パターンで符号化して上記第５の入出力ポートに出力させる下り信号出力部と、
上記第４の入出力ポートに入力された符号化されている上り信号が第２の波長帯に属する波長を有するときに、その上り信号の送信元の第１の通信装置を収容したアドドロップマルチプレクサに固有な右回り用かつ上り用の符号パターンで復号して、その上り信号の宛先となる第２の通信装置へ送出し、上記第５の入出力ポートに入力された符号化されている上り信号が第１の波長帯に属する波長を有するときに、その上り信号の送信元の第１の通信装置を収容したアドドロップマルチプレクサに固有な左回り用かつ上り用の符号パターンで復号して、その上り信号の宛先となる第２の通信装置へ送出する上り信号取込部と、
上記第４の入出力ポート又は上記第５の入出力ポートから入力された信号を障害検出用に取り込む信号モニタ部とを有し、
上記ルート制御部本体は、
平常時において、下り信号及び上り信号が、上記リング状伝送路を巡回するように、第１の通信装置及び第２の通信装置間の下り信号及び上り信号の波長を制御し、
上記信号モニタ部が取り込んだ信号に基づいて、隣り合うアドドロップマルチプレクサ間の障害を認識したときに、障害箇所より左回り方向に位置しているアドドロップマルチプレクサに収容されている第１の通信装置と第２の通信装置との間の下り信号は上記リング状伝送路を右回りに伝搬し、上り信号は上記リング状伝送路を左回りに伝搬するように波長を制御し、障害箇所より右回り方向に位置しているアドドロップマルチプレクサに収容されている第１の通信装置と第２の通信装置との間の下り信号は上記リング状伝送路を左回りに伝搬し、上り信号は上記リング状伝送路を右回りに伝搬するように波長を制御する
ことを特徴とするルート制御装置。
【請求項３】
リング状伝送路に配設された請求項１に記載の複数のアドドロップマルチプレクサと、
上記リング状伝送路を終端している請求項２に記載のルート制御装置と、
上記各アドドロップマルチプレクサにそれぞれ収容されている第１の通信装置と、
上記ルート制御装置に収容されている１又は複数の第２の通信装置と
を有することを特徴とする光ネットワーク。
【請求項４】
リング状伝送路に配設された請求項１に記載の複数のアドドロップマルチプレクサと、上記リング状伝送路を終端している請求項２に記載のルート制御装置と、上記各アドドロップマルチプレクサにそれぞれ収容されている第１の通信装置と、上記ルート制御装置に収容されている１又は複数の第２の通信装置とを有する光ネットワークにおいて、
上記ルート制御装置は、
平常時において、第２の通信装置から第１の通信装置への下り信号及び第１の通信装置から第２の通信装置への上り信号が、上記リング状伝送路を巡回するように、第１の通信装置及び第２の通信装置間の下り信号及び上り信号の波長を制御しておき、
隣り合うアドドロップマルチプレクサ間の障害を認識したときに、障害箇所より左回り方向に位置しているアドドロップマルチプレクサに収容されている第１の通信装置と第２の通信装置との間の下り信号は上記リング状伝送路を右回りに伝搬し、上り信号は上記リング状伝送路を左回りに伝搬するように波長を制御し、障害箇所より右回り方向に位置しているアドドロップマルチプレクサに収容されている第１の通信装置と第２の通信装置との間の下り信号は上記リング状伝送路を左回りに伝搬し、上り信号は上記リング状伝送路を右回りに伝搬するように波長を制御する
ことを特徴とする障害時ルート切替方法。
【発明の詳細な説明】
【技術分野】
【０００１】
本発明は光ネットワーク、ノード及び障害時経路切替方法に関し、例えば、広域加入者向け光アクセスネットワークに適用し得るものである。
【背景技術】
【０００２】
近年、ネットワークの消費電力低減が求められている。非特許文献１では、パッシブなルーティングを実現する適応ネットワークが提案されている。非特許文献１には、適応ネットワーク構成をする技術として、光ハイブリッドフィルタ（Ｏｐｔｉｃａｌ  Ｈｙｂｒｉｄ  Ｆｉｌｔｅｒ；以下、ＯＨＦと呼ぶ）と障害発生時の経路切替について記されている。
【０００３】
図１は、非特許文献１で提案されている適応ネットワークの構成を示している（なお、後述する実施形態に係る適応ネットワークの全体構成も図１で表される）。この適応ネットワーク１では、アドドロップマルチプレクサとしての複数（図１ではｎ個）のＯＨＦノード２−１〜２−ｎを、光ファイバを介してリング状に接続し、各ＯＨＦノード２−１〜２−ｎに１対１に対応付けてＯＮＵ（Ｏｐｔｉｃａｌ  Ｎｅｔｗｏｒｋ  Ｕｎｉｔ；光加入者線加入者側装置）４−１〜４−ｎを接続している。光ファイバでなるリング状伝送路３は、ルート制御部５によって終端されており、このルート制御部５は、対応するＯＮＵ４−ｉ（ｉは１〜ｎ）と通信するＯＬＴ（Ｏｐｔｉｃａｌ  Ｌｉｎｅ  Ｔｅｒｍｉｎａｌ；光加入者線局側装置）６−ｉを収容している。なお、各ＯＬＴ６−１〜６−ｎは、上位ネットワーク７とデータ授受できるようになされている。
【０００４】
ここで、ルート制御部５とＯＨＦノード２−ｉ間の通信には、符号分割多重接続（ＣＤＭＡ）が適用されている。また、ルート制御部５は、ＯＬＴ６−ｉからＯＮＵ４−ｉへの下り信号を符号化し、ＯＮＵ４−ｉからＯＬＴ６−ｉへの上り信号を復号するものである。さらに、ルート制御部５内にある信号モニタ機能により、ＯＨＦノード−ＯＮＵ間の障害発生を検知することができ、障害発生時に、ルート制御部５は通信の復旧を行う。ＯＨＦノード２−ｉは、収容しているＯＮＵ４−ｉへの下り信号をリング状伝送路３から復号した後にドロップ（ＤＲＯＰ）することができ、また、収容しているＯＮＵ４−ｉからの上り信号を符号化した後にリング状伝送路３にアド（ＡＤＤ）することができ、収容しているＯＮＵ４−ｉを送信元にも宛先にもしていない信号（上り信号又は下り信号）を透過させる。
【０００５】
ここで、ＯＨＦノード２−１〜２−ｎにパッシブな部品を用いることによって、低消費電力な適応ネットワーク１を実現している。
【０００６】
なお、ルート制御部５及びＯＬＴ６−１〜６−ｎが集中局に設置され、ＯＮＵ４−１〜４−ｎがそれぞれの拠点に配置されるようにすることにより、適応ネットワーク１は、機能的には、恰もＰＯＮ（Ｐａｓｓｉｖｅ  Ｏｐｔｉｃａｌ  Ｎｅｔｗｏｒｋ）システムと同様な通信が可能となっている。
【先行技術文献】
【非特許文献】
【０００７】
【非特許文献１】岩村英志他、「広域加入者向け適応ネットワーク構成技術の研究開発」、２０１１年電子情報通信学会総合大会、通信講演論文集２、ｐ３８６、２０１１年３月
【発明の概要】
【発明が解決しようとする課題】
【０００８】
しかしながら、非特許文献１は、ＯＨＦノード−ＯＮＵ間で障害が発生したときの通信の復旧については記載しているが、隣り合うＯＨＦノード間で障害が発生したときの通信の復旧については開示していない。そのため、ＯＨＦノード間で障害が発生したときでも、通信を復旧させることが課題として挙げられる。
【０００９】
本発明は、以上の点に鑑みなされたものであり、リング状に配置された隣り合うアドドロップマルチプレクサ間に障害が発生した場合にも、アドドロップマルチプレクサに収容されている第１の通信装置と、リング状伝送路外の第２の通信装置との通信を、迅速に復旧させることができる光ネットワーク、ノード（アドドロップマルチプレクサ、ルート制御装置）及び障害時ルート切替方法を提供しようとしたものである。
【課題を解決するための手段】
【００１０】
第１の本発明は、自己が収容している第１の通信装置と、リング状伝送路を終端しているルート制御装置に収容されている所定の第２の通信装置との光通信に介在する、上記リング状伝送路に複数配設された中の一つのアドドロップマルチプレクサにおいて、（１）いずれかの第２の通信装置が送信元の上記リング状伝送路を左回り方向に伝搬する第１の波長帯に属する波長を有する符号化されている下り信号、若しくは、自己が収容している第１の通信装置以外の第１の通信装置が送信元の上記リング状伝送路を左回り方向に伝搬する上記第１の波長帯に属する波長を有する符号化されている上り信号が入力される第１の入出力ポートと、（２）いずれかの第２の通信装置が送信元の上記リング状伝送路を右回り方向に伝搬する第２の波長帯に属する波長を有する符号化されている下り信号、若しくは、自己が収容している第１の通信装置以外の第１の通信装置が送信元の上記リング状伝送路を右回り方向に伝搬する上記第２の波長帯に属する波長を有する符号化されている上り信号が入力される第２の入出力ポートと、（３）自己が収容している第１の通信装置との間で符号化されていない下り信号及び上り信号を授受する第３の入出力ポートと、（４）上記第１の入出力ポートに入力された信号が、自己が収容している第１の通信装置への符号化されている下り信号か否かを、自己に固有な第１の復号パターンが割り当てられている左回り用ファイバブラッグ回折格子型光復号器を利用して判別し、自己が収容している第１の通信装置への符号化されている下り信号の場合には、その下り信号を上記左回り用ファイバブラッグ回折格子型光復号器が復号して得た下り信号を上記第３の入出力ポートへ出力すると共に、自己が収容している第１の通信装置への符号化されている下り信号でない場合に上記第２の入出力ポートへ出力する左回り信号処理部と、（５）上記第２の入出力ポートに入力された信号が、自己が収容している第１の通信装置への符号化されている下り信号か否かを、自己に固有な第２の復号パターンが割り当てられている右回り用ファイバブラッグ回折格子型光復号器を利用して判別し、自己が収容している第１の通信装置への符号化されている下り信号の場合に、その下り信号を上記右回り用ファイバブラッグ回折格子型光復号器が復号して得た下り信号を上記第３の入出力ポートへ出力する
と共に、自己が収容している第１の通信装置への符号化されている下り信号でない場合に上記第１の入出力ポートへ出力する右回り信号処理部と、（６）自己が収容している第１の通信装置から上記第３の入出力ポートに入力された符号化されていない上り信号が、上記第１の波長帯に属する波長を有するときに、自己に固有な第１の符号パターンが割り当てられている第１のファイバブラッグ回折格子型光符号器を利用して符号化して上記第２の入出力ポートへ出力し、上記第２の波長帯に属する波長を有するときに、自己に固有な第２の符号パターンが割り当てられている第２のファイバブラッグ回折格子型光符号器を利用して符号化して上記第１の入出力ポートへ出力する方向制御アド部とを有することを特徴とする。
【００１１】
第２の本発明は、第１の本発明の複数のアドドロップマルチプレクサが配設されているリング状伝送路を終端していると共に、１又は複数の第２の通信装置を収容しているルート制御装置において、（１）いずれかのアドドロップマルチプレクサに収容されている第１の通信装置が送信元の上記リング状伝送路を右回り方向に伝搬してきた第２の波長帯に属する波長を有する符号化されている上り信号が入力されると共に、いずれかのアドドロップマルチプレクサに収容されている第１の通信装置への上記リング状伝送路を左回り方向に伝搬させようとする第１の波長帯に属する波長を有する符号化されている下り信号を出力させる第４の入出力ポートと、（２）いずれかのアドドロップマルチプレクサに収容されている第１の通信装置が送信元の上記リング状伝送路を左回り方向に伝搬してきた第１の波長帯に属する波長を有する符号化されている上り信号が入力されると共に、いずれかのアドドロップマルチプレクサに収容されている第１の通信装置への上記リング状伝送路を右回り方向に伝搬させようとする第２の波長帯に属する波長を有する符号化されている下り信号を出力させる第５の入出力ポートと、（３）通信に供しようとする第１の通信装置及び第２の通信装置間の下り信号及び上り信号の波長を決定し、その波長を有するように制御するルート制御部本体と、（４）いずれかの第２の通信装置からの符号化されていない下り信号が、第１の波長帯に属する波長を有するときに、その下り信号の宛先の第１の通信装置を収容したアドドロップマルチプレクサに固有な左回り用かつ下り用の符号パターンで符号化して上記第４の入出力ポートに出力させ、第２の波長帯に属する波長を有するときに、その下り信号の宛先の第１の通信装置を収容したアドドロップマルチプレクサに固有な右回り用かつ下り用の符号パターンで符号化して上記第５の入出力ポートに出力させる下り信号出力部と、（５）上記第４の入出力ポートに入力された符号化されている上り信号が第２の波長帯に属する波長を有するときに、その上り信号の送信元の第１の通信装置を収容したアドドロップマルチプレクサに固有な右回り用かつ上り用の符号パターンで復号して、その上り信号の宛先となる第２の通信装置へ送出し、上記第５の入出力ポートに入力された符号化されている上り信号が第１の波長帯に属する波長を有すると
きに、その上り信号の送信元の第１の通信装置を収容したアドドロップマルチプレクサに固有な左回り用かつ上り用の符号パターンで復号して、その上り信号の宛先となる第２の通信装置へ送出する上り信号取込部と、（６）上記第４の入出力ポート又は上記第５の入出力ポートから入力された信号を障害検出用に取り込む信号モニタ部とを有し、（７）上記ルート制御部本体は、（７−１）平常時において、下り信号及び上り信号が、上記リング状伝送路を巡回するように、第１の通信装置及び第２の通信装置間の下り信号及び上り信号の波長を制御し、（７−２）上記信号モニタ部が取り込んだ信号に基づいて、隣り合うアドドロップマルチプレクサ間の障害を認識したときに、障害箇所より左回り方向に位置しているアドドロップマルチプレクサに収容されている第１の通信装置と第２の通信装置との間の下り信号は上記リング状伝送路を右回りに伝搬し、上り信号は上記リング状伝送路を左回りに伝搬するように波長を制御し、障害箇所より右回り方向に位置しているアドドロップマルチプレクサに収容されている第１の通信装置と第２の通信装置との間の下り信号は上記リング状伝送路を左回りに伝搬し、上り信号は上記リング状伝送路を右回りに伝搬するように波長を制御することを特徴とする。
【００１２】
第３の本発明の光ネットワークは、（１）リング状伝送路に配設された第１の本発明の複数のアドドロップマルチプレクサと、（２）上記リング状伝送路を終端している第２の本発明のルート制御装置と、（３）上記各アドドロップマルチプレクサにそれぞれ収容されている第１の通信装置と、（４）上記ルート制御装置に収容されている１又は複数の第２の通信装置とを有することを特徴とする。
【００１３】
第４の本発明の障害時ルート切替方法は、リング状伝送路に配設された第１の本発明の複数のアドドロップマルチプレクサと、上記リング状伝送路を終端している第２の本発明のルート制御装置と、上記各アドドロップマルチプレクサにそれぞれ収容されている第１の通信装置と、上記ルート制御装置に収容されている１又は複数の第２の通信装置とを有する光ネットワークにおいて、上記ルート制御装置は、（１）平常時において、第２の通信装置から第１の通信装置への下り信号及び第１の通信装置から第２の通信装置への上り信号が、上記リング状伝送路を巡回するように、第１の通信装置及び第２の通信装置間の下り信号及び上り信号の波長を制御しておき、（２）隣り合うアドドロップマルチプレクサ間の障害を認識したときに、障害箇所より左回り方向に位置しているアドドロップマルチプレクサに収容されている第１の通信装置と第２の通信装置との間の下り信号は上記リング状伝送路を右回りに伝搬し、上り信号は上記リング状伝送路を左回りに伝搬するように波長を制御し、障害箇所より右回り方向に位置しているアドドロップマルチプレクサに収容されている第１の通信装置と第２の通信装置との間の下り信号は上記リング状伝送路を左回りに伝搬し、上り信号は上記リング状伝送路を右回りに伝搬するように波長を制御することを特徴とする。
【発明の効果】
【００１４】
本発明によれば、リング状に配置された隣り合うアドドロップマルチプレクサ間に障害が発生した場合にも、アドドロップマルチプレクサに収容されている第１の通信装置と、リング状伝送路外の第２の通信装置との通信を、迅速に復旧させることができる。
【図面の簡単な説明】
【００１５】
【図１】実施形態に係る適応ネットワークの全体構成を示すブロック図である。
【図２】実施形態の適応ネットワークにおけるＯＨＦノードの内部構成を示すブロック図である。
【図３】実施形態の適応ネットワークにおけるルート制御部の上り信号を処理する構成を示すブロック図である。
【図４】実施形態の適応ネットワークにおけるルート制御部の下り信号を処理する構成を示すブロック図である。
【図５】実施形態の適応ネットワークにおけるＯＮＵの内部構成を示すブロック図である。
【図６】実施形態の適応ネットワークにおけるＯＨＦノードの左回りリング接続時の動作を示す説明図である。
【図７】実施形態の適応ネットワークにおけるＯＨＦノードの右回りリング接続時の動作を示す説明図である。
【図８】実施形態の適応ネットワークにおけるＯＨＦノードの左回りカスケード接続時の動作を示す説明図である。
【図９】実施形態の適応ネットワークにおけるＯＨＦノードの右回りカスケード接続時の動作を示す説明図である。
【図１０】実施形態の適応ネットワークにおけるルート制御部の上り信号を処理する構成の動作を示す説明図である。
【図１１】実施形態の適応ネットワークにおけるルート制御部の下り信号を処理する構成の動作を示す説明図である。
【図１２】実施形態の適応ネットワークにおけるＯＮＵの動作を示す説明図である。
【図１３】実施形態の適応ネットワークにおける平常時のルート状態を示す説明図である。
【図１４】実施形態の適応ネットワークにおける障害発生時のルート切断状態を示す説明図である。
【図１５】実施形態の適応ネットワークにおける障害発生時の１段階目のルート切替えを示す説明図である。
【図１６】実施形態の適応ネットワークにおける障害発生時の２段階目のルート切替えを示す説明図である。
【発明を実施するための形態】
【００１６】
（Ａ）主たる実施形態
以下、本発明による光ネットワーク、ノード及び障害時ルート切替方法の一実施形態を、図面を参照しながら説明する。実施形態の光ネットワークも、接続形態などを適応的に変更可能な適応ネットワークになっている。
【００１７】
（Ａ−１）実施形態の構成
実施形態の適応ネットワーク（以下、実施形態でも参照符号「１」を用いる）も、その全体構成は、上述した図１で表すことができる。
【００１８】
しかし、実施形態の適応ネットワーク１では、ＯＨＦノード２−１〜２−ｎ、ＯＮＵ４−１〜４−ｎ及びルート制御部５の具体的構成が、隣り合うＯＨＦノード間の障害の発生中においても、対をなすＯＮＵ４−ｉ及びＯＬＴ６−ｉで通信を実行できるようにした構成になっている点が、非特許文献１で提案されている適応ネットワークと異なっている。
【００１９】
（Ａ−１−１）ＯＨＦノード２−ｉの構成
ＯＨＦノード２−ｉは、リング状伝送路３との接続形態として、左回りリング接続、右回りリング接続、左回りカスケード接続、右回りカスケード接続に対応できる構成を有する。
【００２０】
ここで、左回り（＝反時計回り）、右回り（＝時計回り）とは、信号がリング状伝送路３を伝搬していく方向を指している。図１を用いて説明すると、左回りのときは、ＯＨＦノード２−１、ＯＨＦノード２−２、…、ＯＨＦノード２−ｎの順番で信号が伝搬し、右回りのときは、ＯＨＦノード２−ｎ、…、ＯＨＦノード２−２、ＯＨＦノード２−１の順番で信号が伝搬する。
【００２１】
リング接続とは、ＯＬＴ６−ｉからの下り信号の方向（左回り又は右回り）と、ＯＮＵ４−ｉからの上り信号の方向とが同じであるＯＨＦノード２−ｉの接続状態を言い、カスケード接続とは、ＯＬＴ６−ｉからの下り信号の方向と、ＯＮＵ４−ｉからの上り信号の方向とが異なるＯＨＦノード２−ｉの接続状態を言う。図１に示すように、ＯＨＦノード２−ｉが、リング状伝送路３に接続する２つの入出力ポート（以下、単に「ポート」と呼ぶ）Ｐ１、Ｐ２と、収容しているＯＮＵ４−ｉに接続する１つのポートＰ３とを有する場合、リング接続では、図１に点線で示すように、ＯＬＴ６−ｉ（図１の場合、ｉ＝１）からの下り信号が入力されるＯＨＦノード２−ｉのポートＰ１と、ＯＮＵ４−ｉからの上り信号が出力されるＯＨＦノード２−ｉのポートＰ２が異なり、カスケード接続では、図１に実線で示すように、ＯＬＴ６−ｉからの下り信号が入力されるＯＨＦノード２−ｉのポートＰ１とＯＮＵ４−ｉからの上り信号が出力されるＯＨＦノード２−ｉのポートＰ１が等しくなっている。
【００２２】
なお、左回りカスケード接続は、ＯＬＴ６−ｉからの下り信号が左回りの方向である接続であり、右回りカスケード接続は、ＯＬＴ６−ｉからの下り信号が右回りの方向である接続である。
【００２３】
図２は、実施形態のＯＨＦノード２−ｉの内部構成を示すブロック図であり、図１との同一部分には同一符号を付して示している。なお、全てのＯＨＦノード２−１〜２−ｎは同様な構成を有する。また、ＯＨＦノード２−ｉは、光信号を処理するものであり、電気信号を処理する部分を備えていない。
【００２４】
図２において、ＯＨＦノード２−ｉは、２つの方向分離用サーキュレータ１１、１２と、波長合分波器１３と、左回り処理部２０Ｌと、右回り処理部２０Ｒとを有する。左回り処理部２０Ｌ及び右回り処理部２０Ｒは、信号の伝搬方向は異なるが、同様な構成を有している。左回り処理部２０Ｌ及び右回り処理部２０Ｒはそれぞれ、入力段サーキュレータ２１Ｌ、２１Ｒと、ＦＢＧ（Ｆｉｂｅｒ  Ｂｒａｇｇ  Ｇｒａｔｉｎｇ；ファイバブラッグ回折格子）型光復号器２２Ｌ、２２Ｒと、アイソレータ２３Ｌ、２３Ｒと、ＦＢＧ型光符号器２４Ｌ、２４Ｒと、出力段サーキュレータ２５Ｌ、２５Ｒと、アドドロップ用サーキュレータ２６Ｌ、２６Ｒとを有する。
【００２５】
第１の方向分離用サーキュレータ１１は、ポートＰ１からの信号を左回り処理部２０Ｌの入力段サーキュレータ２１Ｌに与えると共に、右回り処理部２０Ｒの出力段サーキュレータ２５Ｒからの信号をポートＰ１に与えるものである。第２の方向分離用サーキュレータ１２は、ポートＰ２からの信号を右回り処理部２０Ｒの入力段サーキュレータ２１Ｒに与えると共に、左回り処理部２０Ｌの出力段サーキュレータ２５Ｌからの信号をポートＰ２に与えるものである。
【００２６】
波長合分波器１３は、左回り処理部２０Ｌのアドドロップ用サーキュレータ２６Ｌからの中心波長λ１の光信号や、右回り処理部２０Ｒのアドドロップ用サーキュレータ２６Ｒからの中心波長λ２の光信号をポートＰ３に与えると共に、ポートＰ３からの中心波長λ１の光信号をアドドロップ用サーキュレータ２６Ｌに与え、ポートＰ３からの中心波長λ２の光信号をアドドロップ用サーキュレータ２６Ｒに与えるものである。
【００２７】
左回り処理部２０Ｌ及び右回り処理部２０Ｒは同様な構成を有しているので、以下では、左回り処理部２０Ｌを例に、その内部構成を説明する。
【００２８】
入力段サーキュレータ２１Ｌは、第１の方向分離用サーキュレータ１１からの信号をＦＢＧ型光復号器２２Ｌに与え、ＦＢＧ型光復号器２２Ｌからの信号（復号信号）をアドドロップ用サーキュレータ２６Ｌに与えるものである。
【００２９】
ＦＢＧ型光復号器２２Ｌは、入力段サーキュレータ２１Ｌからの信号に、当該ＯＨＦノード２−ｉに固有な中心波長λ１の符号パターン（中心波長λ１に近い複数の波長成分が時間軸上で所定のパターンに配置（拡散）されている符号；以下、λ１ｃｏｄｅｉで表す）が盛り込まれている場合にそれを復号（逆拡散）して復号信号（対応するＯＮＵ４−ｉ宛ての信号）を入力段サーキュレータ２１Ｌに戻すと共に、上記符号パターンを構成する波長成分以外の波長成分の信号を透過させるものである。
【００３０】
アイソレータ２３Ｌは、ＦＢＧ型光復号器２２ＬからＦＢＧ型光符号器２４Ｌへの信号の伝搬を許容すると共に、ＦＢＧ型光符号器２４ＬからＦＢＧ型光復号器２２Ｌへの信号の伝搬を阻止するものである。
【００３１】
ＦＢＧ型光符号器２４Ｌは、出力段サーキュレータ２５Ｌからの波長λ１の信号を、当該ＯＨＦノード２−ｉに固有な中心波長λ１の符号パターンλ１ｃｏｄｅｉを有する信号に符号化して、出力段サーキュレータ２５Ｌに戻すものである。この実施形態の場合、ＦＢＧ型光復号器２２Ｌ及びＦＢＧ型光符号器２４Ｌの符号（符号パターン）λ１ｃｏｄｅｉは同一のものである。
【００３２】
出力段サーキュレータ２５Ｌは、アドドロップ用サーキュレータ２６Ｌからの信号をＦＢＧ型光符号器２４Ｌに与え、ＦＢＧ型光符号器２４Ｌからの符号化された信号を第２の方向分離用サーキュレータ１２に与えるものである。
【００３３】
アドドロップ用サーキュレータ２６Ｌは、入力段サーキュレータ２１Ｌからの信号（復号信号）を波長合分波器１３に与え、波長合分波器１３からの信号を出力段サーキュレータ２５Ｌに与えるものである。
【００３４】
右回り処理部２０Ｒは、左回り処理部２０Ｌと同様な構成を有している。但し、右回り処理部２０ＲのＦＢＧ型光復号器２２Ｒ及びＦＢＧ型光符号器２４Ｒは、左回り処理部２０Ｌとは異なり、当該ＯＨＦノード２−ｉに固有な中心波長λ２の符号（符号パターン）λ２ｃｏｄｅｉを処理するものである。
【００３５】
（Ａ−１−２）上り信号を処理するルート制御部５の構成
ルート制御部５は、ＯＮＵ４−ｉからの上り信号を対応するＯＬＴ６−ｉに与えると共に、ＯＬＴ６−ｉからの下り信号を対応するＯＮＵ４−ｉに与えるように、信号の経路（ルート）を制御するものである。
【００３６】
以下では、まず、上り信号を処理するルート制御部５の構成を説明し、次に、下り信号を処理するルート制御部５の構成を説明する。
【００３７】
図３は、上り信号を処理するルート制御部５の構成を示すブロック図であり、既述した図面との同一部分や同一符号パターンには同一符号を付して示している。
【００３８】
ルート制御部５は、上り信号の処理構成として、左回り上り処理部３０Ｌと、右回り上り処理部３０Ｒと、波長合波器４１−１〜４１−ｎと、左回り障害検出用モニタ４２Ｌ−１〜４２Ｌ−ｎと、右回り障害検出用モニタ４２Ｒ−１〜４２Ｒ−ｎと、ルート制御部本体４３とを有する。
【００３９】
左回り上り処理部３０Ｌ及び右回り上り処理部３０Ｒは同様な構成を有しているので、以下では、左回り上り処理部３０Ｌを例に、その内部構成を説明する。
【００４０】
なお、ルート制御部５は、図１に示すように、リング状伝送路３と接続する２つのポートＰ４及びＰ５を備え、上り信号の処理面から見ると、ポートＰ５が左回り上り処理部３０Ｌへの入力ポートとなっており、ポートＰ４が右回り上り処理部３０Ｒへの入力ポートとなっている。
【００４１】
左回り上り処理部３０Ｌは、入力段サーキュレータ３１Ｌと、復号信号分離用サーキュレータ３２Ｌ−１〜３２Ｌ−ｎと、ＦＢＧ型光復号器３３Ｌ−１〜３３Ｌ−ｎとを有し、復号信号分離用サーキュレータ３２Ｌ−ｉとＦＢＧ型光復号器３３Ｌ−ｉとが対をなしている。ポートＰ５から、入力段サーキュレータ３１Ｌ、復号信号分離用サーキュレータ３２Ｌ−ｎ、ＦＢＧ型光復号器３３Ｌ−ｎ、…、復号信号分離用サーキュレータ３２Ｌ−２、ＦＢＧ型光復号器３３Ｌ−２、復号信号分離用サーキュレータ３２Ｌ−１、ＦＢＧ型光復号器３３Ｌ−１の順に、縦続接続されている。
【００４２】
なお、縦続接続に代え、復号信号分離用サーキュレータ３２Ｌ−ｉとＦＢＧ型光復号器３３Ｌ−ｉの対が並列的に設けられていても良い。この場合には、例えば、上り信号をｎ分岐し、ｎ対に対してそれぞれ分岐上り信号を与えるようにすれば良い。
【００４３】
入力段サーキュレータ３１Ｌは、ポートＰ５からの上り信号を復号信号分離用サーキュレータ３２Ｌ−ｎに与えると共に、ポートＰ５へ向かう信号を阻止するアイソレータ機能を発揮するものである。
【００４４】
復号信号分離用サーキュレータ３２Ｌ−ｉは、ポートＰ５から与えられた上り信号を、対をなしているＦＢＧ型光復号器３３Ｌ−ｉに与え、そのＦＢＧ型光復号器３３Ｌ−ｉが復号信号を得た際には、復号信号を左回り障害検出用モニタ４２Ｌ−ｉに与えるものである。
【００４５】
ＦＢＧ型光復号器３３Ｌ−ｉは、ＯＨＦノード２−ｉの左回り処理部２０Ｌ内のＦＢＧ型光符号器２４Ｌに割り当てられている符号（符号パターン）λ１ｃｏｄｅｉを復号対象の符号としているものであり、上り信号に該当する符号が含まれているときに復号して復号信号を対をなす復号信号分離用サーキュレータ３２Ｌ−ｉに与え、上り信号に該当する符号が含まれていないときに上り信号をそのまま透過させるものである。
【００４６】
右回り上り処理部３０Ｒは、左回り上り処理部３０Ｌと同様な構成を有しているが、右回り上り処理部３０Ｒ内のＦＢＧ型光復号器３３Ｒ−１〜３３Ｒ−ｎがそれぞれ、符号λ２ｃｏｄｅ１〜λ２ｃｏｄｅｎを復号対象としている点は異なっている。
【００４７】
波長合波器４１−ｉは、復号信号分離用サーキュレータ３２Ｌ−ｉからの復号信号若しくは復号信号分離用サーキュレータ３２Ｒ−ｉからの復号信号を、ＯＬＴ６−ｉに与えるものである。
【００４８】
左回り障害検出用モニタ４２Ｌ−ｉは、例えば、内部に２分岐器と光電変換器とを備え、復号信号分離用サーキュレータ３２Ｌ−ｉからＯＬＴ６−ｉへ向かう信号を２分岐し、一方の分岐信号をＯＬＴ６−ｉに与え、他方の分岐信号を光電変換した後、ルート制御部本体４３に与えるものである。右回り障害検出用モニタ４２Ｒ−ｉは、例えば、内部に２分岐器と光電変換器とを備え、復号信号分離用サーキュレータ３２Ｒ−ｉからＯＬＴ６−ｉへ向かう信号を２分岐し、一方の分岐信号をＯＬＴ６−ｉに与え、他方の分岐信号を光電変換した後、ルート制御部本体４３に与えるものである。すなわち、左回り障害検出用モニタ４２Ｌ−ｉ及び右回り障害検出用モニタ４２Ｒ−ｉは、ＯＮＵ４−ｉからの上り信号がきているかきていないかの受信状態をルート制御部本体４３に常時送信するものである。
【００４９】
左回り障害検出用モニタ４２Ｌ−ｉ及び右回り障害検出用モニタ４２Ｒ−ｉは、モニタ用の分岐信号を光電変換することなくルート制御部本体４３に送信し、ルート制御部本体４３が光電変換するものであっても良い。
【００５０】
ルート制御部本体４３は、ＯＬＴ６−１〜ＯＬＴ６−ｎへの上り信号の受信状況を監視する機能を有しており、隣り合うＯＨＦノード間で発生した障害を認識することができるものである。
【００５１】
（Ａ−１−３）下り信号を処理するルート制御部５の構成
図４は、上り信号を処理するルート制御部５の構成を示すブロック図であり、既述した図面との同一部分や同一符号パターンには同一符号を付して示している。
【００５２】
ルート制御部５は、下り信号の処理構成として、左回り下り処理部５０Ｌと、右回り下り処理部５０Ｒと、送信器６１−１〜６１−ｎと、ルート制御部本体４３とを有する。
【００５３】
ルート制御部本体４３は、下り信号の処理面から見ると、以下の２つの機能を有する。第１は、ＯＬＴ６−ｉに、対応するＯＮＵ４−ｉからの上り信号の波長（λ１又はλ２）を切替える指示を送信させる機能である。第２は、送信器６１−ｉに、下り信号の波長（λ１又はλ２）を切替える指示を与える機能である。
【００５４】
ルート制御部本体４３は、ＯＬＴ６−１〜ＯＬＴ６−ｎからの下り信号が伝搬する方向（左回り又は右回り）とＯＬＴ６−１〜ＯＬＴ６−ｎへの上り信号が伝搬する方向（左回り又は右回り）と各ＯＨＦノードのネットワークへの接続構成（リング接続又はカスケード接続）を決定する。ルート制御部本体４３は、平常時は、左回りリング接続を適用する。ルート制御部本体４３は、下り信号の伝搬する方向が左回りのときは波長λ１を、右回りのときは波長λ２を適用する。なお、送信器６１−ｉは、ＯＬＴ６−ｉからの下り信号の波長を、ルート制御部本体４３から指示された波長に変換して送信するものである。なお、ＯＬＴ６−ｉが下り信号を電気信号で送出し、送信器６１−ｉがその電気下り信号を光信号に変換し、その際、光信号の波長として、ルート制御部本体４３から指示された波長を適用するものであっても良い。
【００５５】
左回り下り処理部５０Ｌは、符号化信号分離用サーキュレータ５１Ｌ−１〜５１Ｌ−ｎと、ＦＢＧ型光符号器５２Ｌ−１〜５２Ｌ−ｎと、マルチプレクサ５３Ｌ、出力段サーキュレータ５４Ｌとを有し、符号化信号分離用サーキュレータ５１Ｌ−ｉとＦＢＧ型光符号器５２Ｌ−ｉとが対をなしている。右回り下り処理部５０Ｒは、符号化信号分離用サーキュレータ５１Ｒ−１〜５１Ｒ−ｎと、ＦＢＧ型光符号器５２Ｒ−１〜５２Ｒ−ｎと、マルチプレクサ５３Ｒ、出力段サーキュレータ５４Ｒとを有し、符号化信号分離用サーキュレータ５１Ｒ−ｉとＦＢＧ型光符号器５２Ｒ−ｉとが対をなしている。
【００５６】
ここで、送信器６１−ｉ側から、符号化信号分離用サーキュレータ５１Ｒ−ｉ、ＦＢＧ型光符号器５２Ｒ−ｉ、符号化信号分離用サーキュレータ５１Ｌ−ｉ、ＦＢＧ型光符号器５２Ｌ−ｉの順に、縦続接続されている。
【００５７】
なお、縦続接続に代え、符号化信号分離用サーキュレータ５１Ｒ−ｉ及びＦＢＧ型光符号器５２Ｒ−ｉの対と、符号化信号分離用サーキュレータ５１Ｌ−ｉ及びＦＢＧ型光符号器５２Ｌ−ｉの対とが並列的に設けられていても良い。この場合には、例えば、送信器６１−ｉからの下り信号を２分岐し、それぞれの対に対して、分岐下り信号を与えるようにすれば良い。
【００５８】
左回り下り処理部５０Ｌ及び右回り下り処理部５０Ｒは同様な構成を有しているので、以下では、左回り下り処理部５０Ｌを例に、その内部構成を説明する。
【００５９】
符号化信号分離用サーキュレータ５１Ｌ−ｉは、送信器６１−ｉ側から与えられた下り信号をＦＢＧ型光符号器５２Ｌ−ｉに与えると共に、ＦＢＧ型光符号器５２Ｌ−ｉから与えられた符号化後の下り信号をマルチプレクサ５３Ｌに与えるものである。
【００６０】
ＦＢＧ型光符号器５２Ｌ−ｉは、符号化信号分離用サーキュレータ５１Ｌ−ｉから与えられた下り信号の波長がλ１であるときに下り信号を符号化して符号化信号分離用サーキュレータ５１Ｌ−ｉに戻すものであり、下り信号の波長がλ２であるときにはそのまま透過させるものである。ＦＢＧ型光符号器５２Ｌ−ｉに係る符号（符号パターン）は、ＯＨＦノード２−ｉの左回り処理部２０Ｌ内のＦＢＧ型光復号器２２Ｌに割り当てられている符号（符号パターン）λ１ｃｏｄｅｉと同一である。
【００６１】
マルチプレクサ５３Ｌは、符号化信号分離用サーキュレータ５１Ｌ−１〜５１Ｌ−ｎから出力された符号化後の下り信号をポートＰ４に出力するものである。
【００６２】
右回り下り処理部５０Ｒは、左回り下り処理部５０Ｌと同様な構成を有しているが、右回り下り処理部５０Ｒ内のＦＢＧ型光符号器５２Ｒ−１〜５２Ｒ−ｎがそれぞれ、符号λ２ｃｏｄｅ１〜λ２ｃｏｄｅｎを適用している点は異なっている。
【００６３】
（Ａ−１−４）ＯＮＵ４−ｉの構成
図５は、実施形態のＯＮＵ４−ｉの内部構成を示すブロック図である。ＯＮＵ４−ｉは、既存のＯＮＵと同様なＯＮＵ本体７１に加え、第１の入出力分離サーキュレータ７２と、下り信号波長変換器７３と、第２の入出力分離サーキュレータ７４と、上り信号波長変換器７５と、上り信号波長制御部７６とを有する。
【００６４】
第１の入出力分離サーキュレータ７２は、ポートＰ３からの下り信号を下り信号波長変換器７３に与えると共に、上り信号波長変換器７５からの上り信号をポートＰ３に与えるものである。
【００６５】
下り信号波長変換器７３は、ポートＰ３からの下り信号の波長（λ１又はλ２）を、ＯＮＵ本体７１が取り扱う波長に変換するものである。ＯＮＵ本体７１が取り扱う波長は、λ１及びλ２と異なっていても良く、λ１及びλ２の一方と同じであっても良い。下り信号波長変換器７３は、入力された光信号を電気信号に変換することなく波長変換するものであっても良いが、入力された光信号を電気信号に変換し、その電気信号を再び光信号に変換することを通じて波長変換するものの方が好ましい。後者の場合、後述する上り信号の切替波長の指示信号を抽出することが容易であるので、前者より好ましい。
【００６６】
この実施形態の場合、下り信号波長変換器７３は、ＯＬＴ６−ｉがルート制御部本体４３から指示されて送出した上り信号の切替波長の指示信号を、上り信号波長制御部７６に与えるものである。なお、下り信号波長変換器７３は、切替波長の指示信号か否かを判別することなく、上り信号波長制御部７６に下り信号を与え、上り信号波長制御部７６が切替波長の指示信号を把握するものであっても良い（後者の動作説明はこの場合であるとして行っている）。また、ＯＮＵ本体７１として、既存の構成をそのまま適用しないのであれば、ＯＬＴ６−ｉがルート制御部本体４３から指示されて送出した上り信号の切替波長の指示信号を、ＯＮＵ本体７１が受信し、切替波長の情報を上り信号波長制御部７６に与えるようにしても良い。
【００６７】
第２の入出力分離サーキュレータ７４は、下り信号波長変換器７３から出力された下り信号をＯＮＵ本体７１に与えると共に、ＯＮＵ本体７１からの上り信号を上り信号波長変換器７５に与えるものである。
【００６８】
上り信号波長変換器７５は、ＯＮＵ本体７１からの上り信号の波長を、上り信号波長制御部７６から指示された波長に変換するものである。
【００６９】
（Ａ−２）実施形態の動作
次に、実施形態の適応ネットワーク１の動作を説明する。
【００７０】
（Ａ−２−１）ＯＨＦノード２−ｉの動作
まず最初に、ＯＨＦノード２−ｉの動作を説明する。ＯＨＦノード２−ｉは、接続形態が、左回りリング接続、右回りリング接続、左回りカスケード接続、右回りカスケード接続のいずれであろうと、「ドロップ（Ｄｒｏｐ）」、「アド（Ａｄｄ）」、「下り信号透過（下り信号ｔｈｒｏｕｇｈ）」、「上り信号透過（上り信号ｔｈｒｏｕｇｈ）」の４つの動作を実行できることを要する。
【００７１】
（ＤＲ）ドロップとは、リング状伝送路３から与えられた下り信号を、当該ＯＨＦノード２−ｉに接続されているＯＮＵ４−ｉに与える動作を言う。すなわち、ドロップでは、ルート制御部５によって符号パターンλ１ｃｏｄｅｉ又はλ２ｃｏｄｅｉで符号化された下り信号が、当該ＯＨＦノード２−ｉのポートＰ１又はポートＰ２に入力され、ＯＨＦノード２−ｉ内で復号され、得られた復号下り信号がポートＰ３に出力されて、ＯＮＵ４−ｉに与えられる。
【００７２】
（ＤＴ）下り信号透過とは、符号パターンλ１ｃｏｄｅｉ及びλ２ｃｏｄｅｉ以外で符号化された下り信号が、当該ＯＨＦノード２−ｉのポートＰ１又はポートＰ２に入力されたときに、リング状伝送路３に繋がっている他方のポートＰ２又はＰ１に透過する動作を言う。
【００７３】
（ＡＤ）アドとは、当該ＯＨＦノード２−ｉに接続されているＯＮＵ４−ｉから与えられた上り信号を、リング状伝送路３に与える動作を言う。すなわち、アドでは、ポートＰ３から入力されたＯＮＵ４−ｉからの上り信号を、当該ＯＨＦノード２−ｉ内において、符号パターンλ１ｃｏｄｅｉ又はλ２ｃｏｄｅｉで符号化し、符号化された上り信号をポートＰ１又はポートＰ２に出力し、ルート制御部５に伝搬させる。
【００７４】
（ＵＴ）上り信号透過とは、符号パターンλ１ｃｏｄｅｉ及びλ２ｃｏｄｅｉ以外で符号化された上り信号が、当該ＯＨＦノード２−ｉのポートＰ１又はポートＰ２に入力されたときに、リング状伝送路３に繋がっている他方のポートＰ２又はＰ１に透過する動作を言う。
【００７５】
（Ａ−２−１−１）ＯＨＦノード２−ｉの左回りリング接続時の動作
次に、ＯＨＦノード２−ｉにおける左回りリング接続時の動作を、図６を参照しながら説明する。
【００７６】
ここで、左回りリング接続は、ルート制御部５が下り信号の波長をλ１と決定し（左回り）、上り信号の波長もλ１と決定したときに（左回り）、取り得る状態である。
【００７７】
（ＤＲ）左回りリング接続におけるドロップは、以下のようになされる。図６では、ドロップ時の下り信号の流れを点線で示している。
【００７８】
このときの下り信号は、当該ＯＨＦノード２−ｉのポートＰ１に入力され、第１の入出力分離サーキュレータ１１、及び、左回り処理部２０Ｌの入力段サーキュレータ２１Ｌを経由して、ＦＢＧ型光復号器２２Ｌに入力される。ドロップが行われるときには、下り信号の中心波長λ１がＦＢＧ型光復号器２２Ｌの動作波長と等しく、しかも、下り信号における符号（符号パターン）λ１ｃｏｄｅｉはＦＢＧ型光復号器２２Ｌが復号対象としている符号λ１ｃｏｄｅｉと等しい。そのため、下り信号は、ＦＢＧ型光復号器２２Ｌにより復号されながら反射される。復号信号は、再び、入力段サーキュレータ２１Ｌに入力され、これにより、アドドロップ用サーキュレータ２６Ｌに向かい、このアドドロップ用サーキュレータ２６Ｌを経由することで波長合分波器１３（のλ１ポート）に与えられ、波長合分波器１３から、対応するＯＮＵ４−ｉに繋がっているポートＰ３へ出力（ドロップ）される。
【００７９】
（ＤＴ）左回りリング接続における下り信号透過は、以下のようになされる。図６では、下り信号透過時の下り信号の流れを破線で示している。
【００８０】
この場合に取り扱う信号はポートＰ１からの下り信号であるので、上述したドロップ時と同様に、下り信号は、当該ＯＨＦノード２−ｉのポートＰ１に入力され、第１の入出力分離サーキュレータ１１、及び、左回り処理部２０Ｌの入力段サーキュレータ２１Ｌを経由して、ＦＢＧ型光復号器２２Ｌに入力される。下り信号が透過されるときは、下り信号の中心波長λ１がＦＢＧ型光復号器２２Ｌの動作波長と等しいが、下り信号における符号（符号パターン）が、ＦＢＧ型光復号器２２Ｌが復号対象としている符号λ１ｃｏｄｅｉと異なるときである。このとき、下り信号は、ＦＢＧ型光復号器２２Ｌを通過し、さらに、アイソレータ２３Ｌを経由し、ＦＢＧ型光符号器２４Ｌを透過して出力段サーキュレータ２５Ｌに入力される。出力段サーキュレータ２５Ｌは、ＦＢＧ型光符号器２４Ｌからの信号入力であるので、下り信号を第２の入出力分離サーキュレータ１２へ出力し、下り信号はポートＰ２に出力される。
【００８１】
（ＡＤ）左回りリング接続におけるアドは、以下のようになされる。図６では、アド時の上り信号の流れを１点鎖線で示している。
【００８２】
ルート制御部５が決定した波長λ１の上り信号は、対応するＯＮＵ４−ｉに繋がっているポートＰ３から当該ＯＨＦノード２−ｉに入力され、波長合分波器１３に与えられる。この上り信号は波長がλ１であるため、波長合分波器１３（のλ１ポート）から左回り処理部２０Ｌのアドドロップ用サーキュレータ２６Ｌに与えられ、このアドドロップ用サーキュレータ２６Ｌを経由して出力段サーキュレータ２５Ｌに与えられる。出力段サーキュレータ２５Ｌは、アドドロップ用サーキュレータ２６Ｌ側から上り信号が与えられたので、その上り信号をＦＢＧ型光符号器２４Ｌに与える。上り信号の波長がλ１であって符号化対象であるので、ＦＢＧ型光符号器２４Ｌは入力された上り信号を予め割り当てられている符号（符号パターン）λ１ｃｏｄｅｉで符号化しつつ反射する。符号化された上り信号は、再び、出力段サーキュレータ２５Ｌに入力され、これにより、第２の入出力分離サーキュレータ１２へ向かい、この第２の入出力分離サーキュレータ１２を経由することでポートＰ２へ出力される（リング状伝送路３にアドされる）。
【００８３】
（ＵＴ）左回りリング接続における上り信号透過は、以下のようになされる。図６では、上り信号透過時の上り信号の流れを２点鎖線で示している。
【００８４】
ポートＰ１に入力された上り信号は、上述したポートＰ１から下り信号が入力されたときと同様に、第１の入出力分離サーキュレータ１１、及び、左回り処理部２０Ｌの入力段サーキュレータ２１Ｌを経由して、ＦＢＧ型光復号器２２Ｌに入力される。上り信号は、対応しないＯＮＵ（４−ｉ以外）からの信号であるため、その中心波長λ１がＦＢＧ型光復号器２２Ｌの動作波長と等しくても、その上り信号における符号（符号パターン）がＦＢＧ型光復号器２２Ｌが復号対象としている符号λ１ｃｏｄｅｉと異なる。従って、上り信号は、ＦＢＧ型光復号器２２Ｌを通過し、さらに、アイソレータ２３Ｌを経由し、ＦＢＧ型光符号器２４Ｌを透過して出力段サーキュレータ２５Ｌに入力される。出力段サーキュレータ２５Ｌは、ＦＢＧ型光符号器２４Ｌからの信号入力であるので、上り信号を第２の入出力分離サーキュレータ１２へ出力し、この入出力分離サーキュレータ１２からポートＰ２に出力される。
【００８５】
（Ａ−２−１−２）ＯＨＦノード２−ｉの右回りリング接続時の動作
次に、ＯＨＦノード２−ｉにおける右回りリング接続時の動作を、図７を参照しながら説明する。
【００８６】
ここで、右回りリング接続は、ルート制御部５が下り信号の波長をλ２と決定し（右回り）、上り信号の波長もλ２と決定したときに（右回り）、取り得る状態である。
【００８７】
（ＤＲ）右回りリング接続におけるドロップは、以下のようになされる。図７では、ドロップ時の下り信号の流れを点線で示している。
【００８８】
このときの下り信号は、当該ＯＨＦノード２−ｉのポートＰ２に入力され、第２の入出力分離サーキュレータ１２、及び、右回り処理部２０Ｒの入力段サーキュレータ２１Ｒを経由して、ＦＢＧ型光復号器２２Ｒに入力される。ドロップが行われるときには、下り信号の中心波長λ２がＦＢＧ型光復号器２２Ｒの動作波長と等しく、しかも、下り信号における符号（符号パターン）λ２ｃｏｄｅｉはＦＢＧ型光復号器２２Ｒが復号対象としている符号λ２ｃｏｄｅｉと等しい。そのため、下り信号は、ＦＢＧ型光復号器２２Ｒにより復号されながら反射される。復号信号は、再び、入力段サーキュレータ２１Ｒに入力され、これにより、アドドロップ用サーキュレータ２６Ｒに向かい、このアドドロップ用サーキュレータ２６Ｒを経由することで波長合分波器１３（のλ２ポート）に与えられ、波長合分波器１３から、対応するＯＮＵ４−ｉに繋がっているポートＰ３へ出力（ドロップ）される。
【００８９】
（ＤＴ）右回りリング接続における下り信号透過は、以下のようになされる。図７では、下り信号透過時の下り信号の流れを破線で示している。
【００９０】
この場合に取り扱う信号はポートＰ２からの下り信号であるので、上述したドロップ時と同様に、下り信号は、当該ＯＨＦノード２−ｉのポートＰ２に入力され、第２の入出力分離サーキュレータ１２、及び、右回り処理部２０Ｒの入力段サーキュレータ２１Ｒを経由して、ＦＢＧ型光復号器２２Ｒに入力される。下り信号が透過されるときは、下り信号の中心波長λ２がＦＢＧ型光復号器２２Ｒの動作波長と等しいが、下り信号における符号（符号パターン）が、ＦＢＧ型光復号器２２Ｒが復号対象としている符号λ２ｃｏｄｅｉと異なるときである。このとき、下り信号は、ＦＢＧ型光復号器２２Ｒを通過し、さらに、アイソレータ２３Ｒを経由し、ＦＢＧ型光符号器２４Ｒを透過して出力段サーキュレータ２５Ｒに入力される。出力段サーキュレータ２５Ｒは、ＦＢＧ型光符号器２４Ｒからの信号入力であるので、下り信号を第１の入出力分離サーキュレータ１１へ出力し、下り信号はポートＰ１に出力される。
【００９１】
（ＡＤ）右回りリング接続におけるアドは、以下のようになされる。図７では、アド時の上り信号の流れを１点鎖線で示している。
【００９２】
ルート制御部５が決定した波長λ２の上り信号は、対応するＯＮＵ４−ｉに繋がっているポートＰ３から当該ＯＨＦノード２−ｉに入力され、波長合分波器１３に与えられる。この上り信号は波長がλ２であるため、波長合分波器１３（のλ２ポート）から右回り処理部２０Ｒのアドドロップ用サーキュレータ２６Ｒに与えられ、このアドドロップ用サーキュレータ２６Ｒを経由して出力段サーキュレータ２５Ｒに与えられる。出力段サーキュレータ２５Ｒは、アドドロップ用サーキュレータ２６Ｒ側から上り信号が与えられたので、その上り信号をＦＢＧ型光符号器２４Ｒに与える。上り信号の波長がλ２であって符号化対象であるので、ＦＢＧ型光符号器２４Ｒは入力された上り信号を予め割り当てられている符号（符号パターン）λ２ｃｏｄｅｉで符号化しつつ反射する。符号化された上り信号は、再び、出力段サーキュレータ２５Ｒに入力され、これにより、第１の入出力分離サーキュレータ１１へ向かい、この第１の入出力分離サーキュレータ１１を経由することでポートＰ１へ出力される（リング状伝送路３にアドされる）。
【００９３】
（ＵＴ）右回りリング接続における上り信号透過は、以下のようになされる。図７では、上り信号透過時の上り信号の流れを２点鎖線で示している。
【００９４】
ポートＰ２に入力された上り信号は、上述したポートＰ２から下り信号が入力されたときと同様に、第２の入出力分離サーキュレータ１２、及び、右回り処理部２０Ｒの入力段サーキュレータ２１Ｒを経由して、ＦＢＧ型光復号器２２Ｒに入力される。上り信号は、対応しないＯＮＵ（４−ｉ以外）からの信号であるため、その中心波長λ２がＦＢＧ型光復号器２２Ｒの動作波長と等しくても、その上り信号における符号（符号パターン）がＦＢＧ型光復号器２２Ｒが復号対象としている符号λ２ｃｏｄｅｉと異なる。従って、上り信号は、ＦＢＧ型光復号器２２Ｒを通過し、さらに、アイソレータ２３Ｒを経由し、ＦＢＧ型光符号器２４Ｒを透過して出力段サーキュレータ２５Ｒに入力される。出力段サーキュレータ２５Ｒは、ＦＢＧ型光符号器２４Ｒからの信号入力であるので、上り信号を第１の入出力分離サーキュレータ１１へ出力し、この入出力分離サーキュレータ１１からポートＰ１に出力される。
【００９５】
（Ａ−２−１−３）ＯＨＦノード２−ｉの左回りカスケード接続時の動作
次に、ＯＨＦノード２−ｉにおける左回りカスケード接続時の動作を、図８を参照しながら説明する。
【００９６】
ここで、左回りカスケード接続は、ルート制御部５が下り信号の波長をλ１と決定し（左回り）、上り信号の波長をλ２と決定したときに（右回り）、取り得る状態である。
【００９７】
下り信号は、上述した左回りリング接続時と同様に、波長がλ１でポートＰ１から入力されるので、ドロップや下り信号透過の動作は、上述した左回りリング接続時のドロップや下り信号透過の動作（図６参照）と同様であり、その詳細説明は省略する。
【００９８】
一方、上り信号は、上述した右回りリング接続時と同様に、波長がλ２でポートＰ２から入力されるので、アドや上り信号透過の動作は、上述した右回りリング接続時のアドや上り信号透過の動作（図７参照）と同様であり、その詳細説明は省略する。
【００９９】
（Ａ−２−１−４）ＯＨＦノード２−ｉの右回りカスケード接続時の動作
次に、ＯＨＦノード２−ｉにおける右回りカスケード接続時の動作を、図９を参照しながら説明する。
【０１００】
ここで、右回りカスケード接続は、ルート制御部５が下り信号の波長をλ２と決定し（右回り）、上り信号の波長をλ１と決定したときに（左回り）、取り得る状態である。
【０１０１】
下り信号は、上述した右回りリング接続時と同様に、波長がλ２でポートＰ２から入力されるので、ドロップや下り信号透過の動作は、上述した右回りリング接続時のドロップや下り信号透過の動作（図７参照）と同様であり、その詳細説明は省略する。
【０１０２】
一方、上り信号は、上述した左回りリング接続時と同様に、波長がλ１でポートＰ１から入力されるので、アドや上り信号透過の動作は、上述した左回りリング接続時のアドや上り信号透過の動作（図６参照）と同様であり、その詳細説明は省略する。
【０１０３】
（Ａ−２−２）ルート制御部５の動作
次に、ルート制御部５の動作を、上り信号を処理するルート制御部５の構成の動作、下り信号を処理するルート制御部５の構成の動作の順に説明する。
【０１０４】
（Ａ−２−２−１）上り信号を処理するルート制御部５の構成の動作
上り信号を処理するルート制御部５の構成（図３参照）の動作を、図１０を参照しながら説明する。なお、図１０は、ＯＬＴ６−ｎへの上り信号の流れを示している。
【０１０５】
上り信号は、リング状伝送路３の左回り方向から到来することもあれば（波長はλ１）、リング状伝送路３の右回り方向から到来することもある（波長はλ２）。図１０では、前者の上り信号の流れを点線で示しており、後者の上り信号の流れを破線で示している。
【０１０６】
ＯＬＴ６−ｎへの符号λ１ｃｏｄｅｎで符号化されている左回り上り信号はポートＰ５に入力される。このポートＰ５に入力された上り信号は、左回り上り処理部３０Ｌの入力段サーキュレータ３１Ｌ及び復号信号分離用サーキュレータ３２Ｌ−ｎを経由してＦＢＧ型光復号器３３Ｌ−ｎに与えられる。符号λ１ｃｏｄｅｎで符号化されている上り信号は、ＦＢＧ型光復号器３３Ｌ−ｎが符号λ１ｃｏｄｅｎを復号対象としているため、ＦＢＧ型光復号器３３Ｌ−ｎにより復号されながら反射される。復号信号は、再び、復号信号分離用サーキュレータ３２Ｌ−ｎに入力され、これにより、モニタ４２Ｌ−ｎ側に出力され、モニタ４２Ｌ−ｎ、波長合波器４１−ｎを経由してＯＬＴ６−ｎに与えられる。
【０１０７】
なお、この際、モニタ４２Ｌ−ｎは受信状態（受信したことの情報）をルート制御部本体４３に送信する。
【０１０８】
一方、ＯＬＴ６−ｎへの符号λ２ｃｏｄｅｎで符号化されている右回り上り信号はポートＰ４に入力される。このポートＰ４に入力された上り信号は、右回り上り処理部３０Ｒの入力段サーキュレータ３１Ｒ及び復号信号分離用サーキュレータ３２Ｒ−１を経由してＦＢＧ型光復号器３３Ｒ−１に与えられる。この符号λ２ｃｏｄｅｎで符号化されている上り信号は、ＦＢＧ型光復号器３３Ｒ−１の復号対象符号λ２ｃｏｄｅ１とは異なるため、ＦＢＧ型光復号器３３Ｒ−１を透過し、復号信号分離用サーキュレータ３２Ｒ−２を経由してＦＢＧ型光復号器３３Ｒ−２に与えられる。符号λ２ｃｏｄｅｎで符号化されている上り信号は、ＦＢＧ型光復号器３３Ｒ−２の復号対象符号λ２ｃｏｄｅ２とは異なるため、ＦＢＧ型光復号器３３Ｒ−２を透過する。以下同様にして、この上り信号は、復号信号分離用サーキュレータ３２Ｒ−３、ＦＢＧ型光復号器３３Ｒ−３、…、復号信号分離用サーキュレータ３２Ｒ−ｎを経由してＦＢＧ型光復号器３３Ｒ−ｎに与えられる。ＦＢＧ型光復号器３３Ｒ−ｎは、符号λ２ｃｏｄｅ２で符号化された上り信号を復号対象としているため、この上り信号はＦＢＧ型光復号器３３Ｒ−ｎにより復号されながら反射される。復号信号は、再び、復号信号分離用サーキュレータ３２Ｒ−ｎに入力され、これにより、モニタ４２Ｒ−ｎ側に出力され、モニタ４２Ｒ−ｎ、波長合波器４１−ｎを経由してＯＬＴ６−ｎに与えられる。
【０１０９】
なお、この際、モニタ４２Ｒ−ｎは受信状態（受信したことの情報）をルート制御部本体４３に送信する。
【０１１０】
他のＯＬＴへの左回りの上り信号及び右回りの上り信号に対しても、上記と同様にして、他のＯＬＴに与えられる。
【０１１１】
なお、この実施形態の場合、波長λ１の上り信号がポートＰ４へ入力されることや、波長λ２の上り信号がポートＰ５へ入力されることはない。
【０１１２】
（Ａ−２−２−２）下り信号を処理するルート制御部５の構成の動作
下り信号を処理するルート制御部５の構成（図４参照）の動作を、図１１を参照しながら説明する。なお、図１１は、ＯＮＵ４−１への下り信号の流れを示している。
【０１１３】
下り信号は、リング状伝送路３の左回り方向へ送出されることもあれば（波長はλ１）、リング状伝送路３の右回り方向へ送出されることもある（波長はλ２）。図１１では、前者の下り信号の流れを点線で示しており、後者の下り信号の流れを破線で示している。以下では、ＯＮＵ４−１への下り信号を送出する際の動作を説明する。
【０１１４】
ルート制御部本体４３は、適応ネットワーク１の全体が正常な状態では、ＯＮＵ４−１に対応するＯＬＴ６−１に、ＯＮＵ４−１が波長λ１で上り信号を送出するような制御信号を下り信号に付加して下り信号を出力するように指示すると共に、送信器６１−１に対して、ＯＬＴ６−１からの下り信号を波長λ１で送出するように指示する。
【０１１５】
波長λ１の下り信号は、右回り下り処理部５０Ｒの符号化信号分離用サーキュレータ５１Ｒ−１を透過してＦＢＧ型光符号器５２Ｒ−１に与えられる。ＦＢＧ型光符号器５２Ｒ−１に割り当てられている符号（符号パターン）の波長がλ２であるため、波長λ１の下り信号を透過させる。これにより、下り信号は、左回り下り処理部５０Ｌの符号化信号分離用サーキュレータ５１Ｌ−１を透過してＦＢＧ型光符号器５２Ｌ−１に与えられる。ＦＢＧ型光符号器５２Ｌ−１に割り当てられている符号（符号パターン）の波長がλ１であるため、ＦＢＧ型光符号器５２Ｌ−１は、波長λ１の下り信号を符号化しながら反射する。符号化された下り信号は、再び、符号化信号分離用サーキュレータ５１Ｌ−１に入力され、その後、マルチプレクサ５３Ｌ、出力段サーキュレータ５４Ｌを順次経由してポートＰ４に与えられる。
【０１１６】
ルート制御部本体４３は、適応ネットワーク１いずれかの箇所に障害が生じたときには、その障害箇所などに応じて、ＯＮＵ４−ｉへの下り信号やＯＮＵ４−ｉからの上り信号の波長（従って、回り方向）を制御する。以下では、ルート制御部本体４３が、送信器６１−１に対して、ＯＬＴ６−１からの下り信号を波長λ２で送出するように指示した場合を説明する。
【０１１７】
波長λ２の下り信号は、右回り下り処理部５０Ｒの符号化信号分離用サーキュレータ５１Ｒ−１を透過してＦＢＧ型光符号器５２Ｒ−１に与えられる。ＦＢＧ型光符号器５２Ｒ−１に割り当てられている符号（符号パターン）の波長がλ２であるため、ＦＢＧ型光符号器５２Ｒ−１は、波長λ２の下り信号を符号化しながら反射する。符号化された下り信号は、再び、符号化信号分離用サーキュレータ５１Ｒ−１に入力され、その後、マルチプレクサ５３Ｒ、出力段サーキュレータ５４Ｒを順次経由してポートＰ５に与えられる。
【０１１８】
ＯＬＴ６−２〜ＯＬＴ６−ｎからＯＮＵ４−２〜４−ｎへの下り信号の送出についても同様の動作を行い、符号化された下り信号がポートＰ４又はＰ５に出力される。
【０１１９】
（Ａ−２−３）ＯＮＵ４−ｉの動作
次に、ＯＮＵ４−ｉの動作を、図１２を参照しながら説明する。
【０１２０】
対応するＯＨＦノード２−ｉのポートＰ３から当該ＯＮＵ４−ｉに入力された下り信号は、第１の入出力分離サーキュレータ７２を経由して下り信号波長変換器７３に与えられる。そして、下り信号波長変換器７３から下り信号が上り信号波長制御部７６に与えられると共に、下り信号の波長が所定波長に変換され、この波長変換後の下り信号が第２の入出力分離サーキュレータ７４を経由してＯＮＵ本体７１に与えられる。例えば、下り信号波長変換器７３は下り信号を光電変換して上り信号波長制御部７６に与えると共に、電気信号を所定波長（変換先波長）の光信号に変換して第２の入出力分離サーキュレータ７４に与える。
【０１２１】
上り信号波長制御部７６は、下り信号に含まれている、上り信号の波長の指示信号を抽出し、上り信号波長変換器７５からの上り信号の波長を制御する。
【０１２２】
ＯＮＵ本体７１からの上り信号は、第２の入出力分離サーキュレータ７４を経由して上り信号波長変換器７５に与えられ、上り信号波長変換器７５によって上り信号の波長が変換され、この波長変換後の上り信号が第１の入出力分離サーキュレータ７２を経由してポートＰ３に出力される。例えば、上り信号波長変換器７５は上り信号を光電変換した後、再び光信号に変換することを通じて波長を変換する。
【０１２３】
（Ａ−２−４）障害発生時のルート切替動作
次に、隣り合うＯＨＦノード間に障害が発生した場合のＯＬＴ及びＯＮＵ間の通信ルートの切替動作の一例を、図１３〜図１６を参照しながら説明する。
【０１２４】
ルート制御部本体４３は、当該適応ネットワーク１に障害が発生していない平常時には、下り信号は波長λ１、上り信号は波長λ１を用い、全てのＯＨＦノード２−１〜２−ｎが左回りリング接続の状態で動作するように制御する（なお、下り信号は波長λ２、上り信号は波長λ２を用い、全てのＯＨＦノード２−１〜２−ｎが右回りリング接続の状態で動作するように制御するようにしても良い）。この制御により、図１３に示すように、ＯＬＴ６−ｉからの下り信号はＯＮＵ４−ｉに届き、ＯＮＵ４−ｉからの上り信号もＯＬＴ６−ｉに届き、ＯＬＴとＯＮＵとの全ての対が通信できる。
【０１２５】
ＯＨＦノード２−（ｉ−１）とＯＨＦノード２−ｉとの間に図１４に示すように障害が発生したとする。このとき、障害箇所より右回り方向に位置しているＯＨＦノード２−１〜２−（ｉ−１）に収容されているＯＮＵ４−１〜４−（ｉ−１）からの上り信号は、対応するＯＬＴ６−１〜６−（ｉ−１）に届かなくなる。ルート制御部５内のルート制御部本体４３は、モニタ４２Ｌ−１〜４２Ｌ−ｎからの監視信号により、ＯＮＵ４−１〜４−（ｉ−１）からの上り信号は届かないことを認識する。
【０１２６】
そこで、ルート制御部５内のルート制御部本体４３は、波長λ１では届かない上り信号があるため、上り信号を波長λ２で送信するようにＯＮＵ４−１〜４−ｎに指示する。この波長の変更指示は、ＯＮＵ４−１〜４−（ｉ−１）には到達するが、ＯＮＵ４−ｉ〜４−ｎには到達しない。波長の変更指示が到達したＯＮＵ４−１〜４−（ｉ−１）に対応したＯＨＦノード２−１〜２−（ｉ−１）は、図１５に示すように、リング状伝送路３に対して、左回りカスケード接続の状態になり、ＯＮＵ４−１〜４−（ｉ−１）からの上り信号は、対応するＯＬＴ６−１〜６−（ｉ−１）に届くようになり、通信が復旧する。これに対して、ＯＮＵ４−ｉ〜４−ｎからの上り信号は、対応するＯＬＴ６−ｉ〜６−ｎに届かない。例えば、ＯＮＵ４−１〜４−ｎは、対応するＯＬＴ６−１〜６−ｎからの下り信号を受信した後、所定時間後に、上り信号を送信することになっており、下り信号を受信できないＯＮＵ４−ｉ〜４−ｎは上り信号を送信できず、対応するＯＬＴ６−ｉ〜６−ｎに届かず、上り信号を波長λ２で送信するように制御しても、ＯＮＵ４−ｉ〜４−ｎと対応するＯＬＴ６−ｉ〜６−ｎとの通信は復旧しない。ルート制御部５内のルート制御部本体４３は、モニタ４２Ｒ−ｉ〜４２Ｒ−ｎからの監視信号により、ＯＮＵ４−ｉ〜４−ｎからの上り信号が届かないことを認識する。
【０１２７】
ルート制御部５内のルート制御部本体４３は、上り信号の波長をλ１からλ２から切り替えても通信が復旧していない、ＯＬＴ及びＯＮＵの各対６−ｉ及び４−ｉ〜６−ｎ及び４−ｎについては、下り信号の波長をλ２に制御すると共に、上り信号の波長をλ１に制御する。波長の変更指示が到達したＯＮＵ４−ｉ〜４−ｎに対応したＯＨＦノード２−ｉ〜２−ｎは、図１６に示すように、リング状伝送路３に対して、右回りカスケード接続の状態になる。ＯＬＴ６−ｉ〜６−ｎからの波長λ２の下り信号は右回りに伝送されて対応するＯＮＵ４−ｉ〜４−ｎに届き、ＯＮＵ４−ｉ〜４−ｎからの波長λ１の上り信号は左回りに伝送されて対応するＯＬＴ６−ｉ〜６−ｎに届くようになり、通信が復旧する。
【０１２８】
以上のように、隣り合うＯＨＦノード２−（ｉ−１）とＯＨＦノード２−ｉとの間に障害が発生しても、全てのＯＮＵ４−１〜４−ｎ及びＯＬＴ６−１〜６−ｎの対間の通信を迅速に復旧させることができる。
【０１２９】
ＯＨＦノード２−（ｉ−１）とＯＨＦノード２−ｉとの間の障害が復旧したときには、例えば、オペレータは、図示しない保守端末を用いて、ルート制御部５内のルート制御部本体４３に復旧した旨を入力する。このとき、下り信号は波長λ１、上り信号は波長λ１を用い、全てのＯＨＦノード２−１〜２−ｎが左回りリング接続の状態で動作するように制御し、当該適応ネットワーク１を平常時の状態に復帰させる。
【０１３０】
障害発生箇所が他の隣り合うＯＨＦノード間であっても、上記と同様に動作し、全てのＯＮＵ４−１〜４−ｎ及びＯＬＴ６−１〜６−ｎの対間の通信を迅速に復旧させることができる。
【０１３１】
（Ａ−３）実施形態の効果
上記実施形態によれば、任意の隣り合うＯＨＦノード間に障害が発生しても、ＯＮＵ及びＯＬＴ間の通信を迅速に復旧させることができる。
【０１３２】
（Ｂ）他の実施形態
上記実施形態の説明においても、種々変形実施形態に言及したが、さらに、以下に例示するような変形実施形態を挙げることができる。
【０１３３】
上記実施形態では、ＯＮＵ４−ｉ及びＯＬＴ６−ｉとが１対１であるものを示したが、通信に供するＯＮＵ及びＯＬＴの対をダイナミックに切り替えられるものであっても良い。例えば、ルート制御部５と、ＯＬＴ６−１〜６−ｎの一群との間に、ｎ×ｎの光クロススイッチを設け、ＯＬＴ６−１〜６−ｎ側からの通信相手信号に応じ、ルート制御部５のルート制御部本体４３が光クロススイッチを切り替えるようにして、ＯＮＵ及びＯＬＴの対をダイナミックに切り替えられるようにしても良い。このような場合において、ＯＮＵの数とＯＬＴの数とが異なっていても良い。
【０１３４】
上記実施形態では、回り方向が同じであれば、ＯＮＵ４−１〜４−ｎへの下り信号の波長（中心波長）が同じものを示したが、ＯＮＵ４−１〜４−ｎによって下り信号の波長（中心波長）が異なっていても良い。但し、左回りの波長と右回りの波長とが、弁別できるようになされていることを要する。例えば、ＯＮＵ４−１〜４−ｎへの左回りの下り信号に係るｎ個の波長λ１−１〜λ１−ｎのグループと、ＯＮＵ４−１〜４−ｎへの右回りの下り信号に係るｎ個の波長λ２−１〜λ２−ｎのグループとの波長帯がオーバーラップしていないことが好ましい。
【０１３５】
同様に、ＯＮＵ４−１〜４−ｎによって、上り信号の波長（中心波長）が異なっていても良い。ここで、ＯＮＵ４−ｉへの左回りの下り信号とＯＮＵ４−ｉからの左回りの上り信号の波長λ１−ｉが等しく、ＯＮＵ４−ｉへの右回りの下り信号とＯＮＵ４−ｉからの右回りの上り信号の波長λ２−ｉが等しいことが好ましい。
【０１３６】
以上のように、ＯＮＵ４−１〜４−ｎによって下り信号や上り信号の波長（中心波長）が異なっている場合であれば、波長に基づいて、通信に供するＯＮＵやＯＬＴを特定できるので、符号分割多重接続（ＣＤＭＡ）を適用していなくても良い。言い換えると、各ＯＨＦノードが、自己が収容しているＯＮＵへの下り信号を、いずれの回り方向でもドロップでき、自己が収容しているＯＮＵからの上り信号を、いずれの回り方向でもアドでき、自己が収容しているＯＮＵ以外のＯＮＵへの下り信号や自己が収容しているＯＮＵ以外のＯＮＵからの上り信号を、いずれの回り方向でも透過できるように構成できるのであれば、下り信号や上り信号におけるＯＮＵの特定方法は、上記実施形態のものに限定されない。ルート制御部の構成も、ＯＨＦノードの構成に合わせて、実施形態のものから変形すれば良い。
【０１３７】
上記実施形態では、平常時において上り信号と下り信号の巡回方向が同じものを示したが、平常時において、上り信号と下り信号の巡回方向が逆であっても良い。例えば、上り信号は左回りに伝搬し、下り信号は右回りに伝搬するものであっても良い。但し、隣り合うＯＨＦノード２−（ｉ−１）とＯＨＦノード２−ｉとの間に障害が発生したときには、上記実施形態と同様に、最終的に図１６に示す状態を形成させるようにルート制御部本体が制御することを要する。
【０１３８】
上記実施形態では、平常の通信時の上り信号をモニタして障害を検出するものを示したが、ルート制御部本体４３が、ＯＬＴ６−１〜６−ｎから監視用の下り信号を送出させ、若しくは、ルート制御部本体４３が、ＯＮＵ４−１〜４−ｎから監視用の上り信号を送出させるように制御し、障害有無を監視するようにしても良い。
【０１３９】
隣り合うＯＨＦノード２−（ｉ−１）とＯＨＦノード２−ｉとの間に障害が発生したときに、全てのＯＮＵについて、対応するＯＬＴとの通信を復旧させる処理の流れは、上述した図１４〜図１６に示す流れに限定されない。要は、図１６に示す状態に最終的にできる、通信を復旧させる処理の流れであれば良い。
【０１４０】
上記実施形態では、通信に供する通信装置がＯＬＴ及びＯＮＵであるものを示したが、通信装置は、これに限定されるものではない。
【符号の説明】
【０１４１】
１…適応ネットワーク、２−１〜２−ｎ…ＯＨＦノード（アドドロップマルチプレクサ）、３…リング状伝送路、４−１〜４−ｎ…ＯＮＵ（第１の通信装置）、５…ルート制御部、６−１〜６ｎ…ＯＬＴ（第２の通信装置）。
【図１】
0005413470.tif 000002
【図２】
0005413470.tif 000003
【図３】
0005413470.tif 000004
【図４】
0005413470.tif 000005
【図５】
0005413470.tif 000006
【図６】
0005413470.tif 000007
【図７】
0005413470.tif 000008
【図８】
0005413470.tif 000009
【図９】
0005413470.tif 000010
【図１０】
0005413470.tif 000011
【図１１】
0005413470.tif 000012
【図１２】
0005413470.tif 000013
【図１３】
0005413470.tif 000014
【図１４】
0005413470.tif 000015
【図１５】
0005413470.tif 000016
【図１６】
0005413470.tif 000017